(57)【特許請求の範囲】
【請求項１】
ガラス板の周縁部を支持する１次成形型及びその内側に設けた２次成形型を備え、該２次成形型はガラス板に対応した略四角形状の枠体であって、
前記ガラス板を前記１次成形型上に載置し、所定温度で加熱して前記ガラス板を自重により曲げた後２次成形型上に移して該２次成形型のみで成形するガラス板曲げ成形装置において、
前記１次成形型は各辺ごとに分割して、少なくとも１辺に設けられるとともに、該１次成形型は２次成形型の側方に広がる方向に動くように構成されたことを特徴とするガラス板曲げ成形装置。
【請求項２】
前記１次成形型はＬ字断面形状であって、上辺を内側に突出させた逆Ｌ字状に設けられ、該Ｌ字上辺の下側に前記２次成形型を設けたことを特徴とする請求項１に記載のガラス板曲げ成形装置。
【請求項３】
ガラス板周縁部の少なくとも１部を支持する１次成形型と、ガラス板全周縁部を支持する２次成形型とを用い、成形途中でガラス板を１次成形型から２次成形型へ移し替えて曲げ成形するガラス板の曲げ成形方法において、
前記ガラス板の移し替え時に１次成形型を２次成形型の側方に広がる方向に動かしてガラス板から分離することを特徴とするガラス板曲げ成形方法。
【請求項４】
前記１次成形型によりガラス板のエッジを支持することを特徴とする請求項３に記載のガラス板曲げ成形方法。
【発明の詳細な説明】
【０００１】
【発明の属する技術分野】
本発明は、ガラス板を曲げ成形する装置及び曲げ成形方法に関するものである。
【０００２】
【従来の技術】
従来、自動車用窓ガラスとして用いるガラス板を曲げ成形するのに際して、ガラス板をその周縁部に略一致するほぼ矩形または台形の四角リング状成形型でガラス板の下面周縁部を支持し、所定温度で加熱することによりガラスを自重で曲げ成形する。このような自重曲げ成形において、▲１▼ガラス板周縁部を内部より早く冷却して周縁部の強度を維持するため、及び▲２▼ガラス板の深曲げの成形性を向上させるために、二重枠構造の１次成形型及び２次成形型を用い、成型途中でガラス板を移し替えることが行われている。
【０００３】
圧縮強化層形成のための上記▲１▼についてさらに説明すると、フロントガラス用の合せガラスの場合、車体に取付けるためにガラス板の周縁部の強度を維持する必要がある。このため、加熱成形後自然冷却により圧縮応力層を形成する。この場合、ガラス板の成形精度を向上し、ガラスエッジ近傍の曲げを充分に行うためにはなるべくガラスエッジを支持することが望ましい。しかしながらガラスエッジを支持すると成形型の熱容量のためエッジ部が充分冷却できず強化層が形成されない。
【０００４】
したがって加熱成形後、エッジ部を幾分残してその内側でガラス板を支持するように移し替える。すなわち、自重曲げ成形時は、１次成形型でガラス板エッジまたはそのごく近傍を支持し、その後２次成形型に移し替えてエッジ部の内側を支持する。このような圧縮層形成のための移し替え式の成形型の技術は例えば特開平２−３０６３２号公報に開示されている。
【０００５】
一方、深曲げ形成用の上記▲２▼についてさらに説明すると、深曲げや複雑な形状のガラス曲げ成形を行う場合、最初、曲げの浅い１次成形型で支持し、途中で最終形状の２次成形型に移し替えて自重曲げを行う。このように湾曲度を異ならせて２段階で自重曲げ成形することにより、特にガラス板コーナー部の成形精度が向上するとともに、成形面の品質向上が図られる。このような成形性向上を図るための移し替え式の成形型の技術は、例えば特許第２８８９８７７号公報に開示されている。
【０００６】
【発明が解決しようとする課題】
しかしながら、上記公報記載の成形型は、いずれも２次成形型が１次成形型の内側にあり、移し替えに際し内側の２次成形型を突き上げたり、あるいは１次成形型を落下させてガラス板から分離させている。したがって、１次成形型とこれに隣接する２次成形型が相互に隣接した状態で上下方向にすれ違って移動する。このように１次及び２次成形型のいずれかを上昇あるいは下降させてガラス板を持ち替える機構は複雑であり、特に２次成形型全体を突き上げる構成にすると重量も大きくなり装置が大型化するとともに大出力の駆動機構を必要とし、消費電力も大きくなる。
【０００７】
また、このように上下にすれ違って移動する構成では、両方の成形型同士の干渉を避けるために、１次成形型と２次成形型の間に余裕を持たせる必要があり、２次成形型がかなり内側に配置される。この状態でガラス板を支持すると、ガラス板の内側に型跡が残り、これが窓ガラスのガラス面に露出して外観上好ましくない。ガラス板周縁部の強度維持の場合、２次成形型はガラス板の周縁部より内側に位置することが必要であるが、あまり内側にすると前述のように型跡が残るため１次成形型よりｍｍオーダーで近接してその内側に位置することが好ましい。従来の１次成形型から２次成形型への持ち替え構造では、これを実現することが困難であった。
【０００８】
本発明は上記従来技術を考慮したものであって、１次成形型から２次成形型へガラス板を移し替える際に、簡単な機構で１次成形型及び２次成形型同士の干渉を避けるとともにガラス板周縁部の冷却に適切でかつ型跡を露出させない位置を２次成形型で支持できるガラス板曲げ成形装置の提供を目的とする。
【０００９】
【課題を解決するための手段】
前記目的を達成するため、本発明では、ガラス板の周縁部を支持する１次成形型及びその内側に設けた２次成形型を備え、該２次成形型はガラス板に対応した略四角形状の枠体であって、前記ガラス板を前記１次成形型上に載置し、所定温度で加熱して前記ガラス板を自重により曲げた後２次成形型上に移して該２次成形型のみで成形するガラス板曲げ成形装置において、前記１次成形型は各辺ごとに分割して、少なくとも１辺に設けられるとともに、該１次成形型は２次成形型の側方に広がる方向に動くように構成されたことを特徴とするガラス板曲げ成形装置を提供する。
【００１０】
この構成によれば、略四角形の２次成形型の各辺（少なくとも１辺）ごとにそれぞれ対応して１次成形型が設けられる。したがって１次成形型が２次成形型に対して側方に広げられるため、簡単な構造によってガラス板の持ち替えの際に１次成形型と２次成形型の干渉が起こることを確実に防ぐことができる。したがって、２次成形型を１次成形型に充分近接させることが可能になり、ガラス板の型跡が目立たない位置で２次成形型に持ち替えることができる。なお、２次成形型に移し変える前は１次成形型のみまたは１次成形型と２次成形型の両方でガラス板を支持する。
【００１１】
好ましい構成例においては、前記１次成形型はＬ字断面形状であって、上辺を内側に突出させた逆Ｌ字状に設けられ、該Ｌ字上辺の下側に前記２次成形型を設けたことを特徴としている。
【００１２】
この構成によれば、Ｌ字上辺の端部でガラス板の側縁を支持してガラス板の成形精度を向上するとともに、Ｌ字上辺の下側に２次成形型を設けるので１次成形型にできるだけ近接した位置でガラス板の持ち替えを行うことができる。したがって、冷却幅をガラス板の周縁部のエッジ部に確保した上でガラス板の型跡を充分にエッジ近傍に近づけて目立たなくすることができる。
【００１３】
さらに、本発明では、ガラス板周縁部の少なくとも１部を支持する１次成形型と、ガラス板全周縁部を支持する２次成形型とを用い、成形途中でガラス板を１次成形型から２次成形型へ移し替えて曲げ成形するガラス板の曲げ成形方法において、前記ガラス板の移し替え時に１次成形型を２次成形型の側方に広がる方向に動かしてガラス板から分離することを特徴とするガラス板曲げ成形方法を提供する。
【００１４】
この構成によれば、前述のように、１次成形型を側方に広げてガラス板から分離するので、持ち換えの際に１次成形型と２次成形型の干渉が確実に防止され、したがって１次成形型をガラスエッジに充分近づけるとともに、２次成形型でガラス板を支持した場合に型跡が目立たないような１次成形型に充分近接した位置にこの２次成形型を配設することができる。
【００１５】
好ましい構成例においては、前記１次成形型によりガラス板のエッジを支持することを特徴としている。
【００１６】
この構成によれば、１次成形型がガラス板のエッジを支持するため、曲げ成形の成形性が向上し特にガラス板のエッジ近傍を精度よく曲げ加工できるとともに、２次成形型をさらにエッジに近づけることができる。
【００１７】
【発明の実施の形態】
以下、図面を参照して本発明に係るについて説明する。
図１は本発明に係るガラス板曲げ成形装置の概略図である。
本発明に係るガラス板曲げ成形装置は、（Ａ）に示すように、ほぼ矩形または台形等の四角形のガラス板１の周縁部に略一致する４辺の各辺ごとに分割して設けた１次成形型２と、その内側に設けた２次成形型３からなる。２次成形型３は、ガラス板形状に対応した略四角（台形）形状の４辺が連続して形成された四角リングである。１次成形型２及び２次成形型３はそれぞれガラス板周縁部の曲げ形状に対応して湾曲している。ガラス板１を曲げ成形する時、まず１次成形型２と２次成形型３の両方でガラス板１の下面を支持する。この状態でガラス板１を所定温度で加熱して自重曲げにより曲げ成形する。このとき軟化したガラス板は、１次成形型２及び２次成形型３の両方の湾曲成形面（上縁）に支持される。このガラス板周縁部を冷却して圧縮応力層を形成してガラス板周縁部の強度を維持するため、２次成形型３のみでガラス板１をそのエッジ部分よりやや内側で支持する。このとき１次成形型２は２次成形型３に対して側方外側に広がる方向に開いて（図の矢印方向）開放位置２’（点線）に移動する。これにより、ガラス板１は２次成形型３のみに支持される。この状態で、ガラス板１を自然冷却し２次成形型３の外側のガラス板周縁部に圧縮強化層を形成する。
【００１８】
（Ｂ）は別の実施形態を示す。この（Ｂ）に示すように、１次成形型２を対向する２辺に設け（図では左右２辺）、１次成形型２を左右外側に広がる方向に開くように矢印方向に移動させてもよい。この例は、ガラス板１の図の上下長辺部の曲げ成形精度が問題にならない場合（例えばほぼ平坦形状等）に有効である。このような場合には、長辺部に対し成形性のためにエッジを支持する必要がなく、したがって１次成形型を設けることなく最初から２次成形型でエッジの幾分内側を支持することができる。このように１次成形型２を２辺のみにすることにより、部品点数が減少し機械的構造が簡単になる。
【００１９】
（Ｃ）に示すように、対向する２辺の各辺の１次成形型２の長さは、ガラス板１の側縁に比べて短くしてもよい。これにより、より簡単な構造で装置を組立てることができる。前述の（Ａ）の４辺についても同様である。なお、１次成形型２は、ガラス板の形状や各辺の曲げ加工の必要性等によっては１辺のみに設ける場合もある。
【００２０】
図２は１次成形型の移動方向を示す説明図である。（Ａ）は回転移動、（Ｂ）は平行移動を示す。前述のように、１次成形型を２次成形型の側方に広がるように移動させる方法として、（Ａ）の回転移動及び（Ｂ）の平行移動が可能である。
【００２１】
回転移動の場合は、（Ａ）に示すように、ガラス板１の下面側縁を１次成形型２と２次成形型３で支持した場合に、ガラス板１のエッジ部１ａに対する接線をＨとすると、この接線Ｈに対する法線Ｆ上の点Ｇを支点として１次成形型２を２次成形型３に対して外側に回転する。これにより、１次成形型２はガラス板１のエッジ１ａに接触することなく接線Ｈの下方外側（矢印Ｐ方向）に移動する。
【００２２】
平行移動の場合は、（Ｂ）に示すように、１次成形型２を前述の接線Ｈと平行（矢印Ｑ方向）又はこれより下方にスライドさせることによりガラス板１から離してもよい。これにより、１次成形型２はガラス板１のエッジ部１ａに摺接することなく外側に広がる。
【００２３】
図３（Ａ）（Ｂ）はそれぞれ図２（Ａ）（Ｂ）の回転移動式及び平行移動式の構成例を示す。
回転移動式の場合、（Ａ）に示すように、基台４上に回転軸５を設け、アーム６に１次成形型２を固定する。アーム６にはエアシリンダー９と、ストッパ７が設けられ、ストッパ７はフック８により固定される。フック８をストッパ７から外すと、エアシリンダー９によりアーム６は押出される。アーム６は回転軸５を支点として矢印Ｐ方向に回転し、１次成形型２は２次成形型３に対して外側に移動する。
【００２４】
平行移動式の場合、（Ｂ）に示すように、前述の矢印Ｑに平行なスライド棒１０を備え、スライド棒１０に沿ってスライド可能なアーム１１に１次成形型２を固定する。（Ａ）の場合と同様に、アーム１１にはストッパ７とエアシリンダー９が設けられ、ストッパ７はフック８により固定される。フック８をストッパ７から外すと、エアシリンダー９によりアーム１１は押出される。アーム１１はスライド棒１０に沿って矢印Ｑ方向に移動し、１次成形型２は２次成形型３に対して外側に移動する。
【００２５】
以上により、（Ａ）、（Ｂ）どちらの機構を用いても簡単な構造で１次成形型２から２次成形型３への持ち替えを行うことができるので、装置が小型化し、出力も必要としないため、生産コストの低減を図ることができる。
【００２６】
図４は１次成形型の断面をＬ字形状とした説明図である。
図示したように、断面逆Ｌ字形状の１次成形型１２の上辺１２ａでガラス板１の下面側縁を支持する。これにより、ガラスエッジ部の充分近傍を安定して１次成形型１２上に支持することができる。また、ガラスエッジ端面をＬ字の上辺１２ａ上に載せて支持し、成形性をさらに向上させることもできる（後述の図７参照）。このようにＬ字形状の１次成形型１２を用いることにより、２次成形型３は逆Ｌ字の上辺１２ａの下に配置されるので、２次成形型３をガラス板１のエッジに充分近い側に配置することができる。これにより、２次成形型３による型跡をガラス板のエッジに充分近づけ、ガラス窓として自動車に装着した時に、窓枠シールで覆って目立たなくすることができる。この場合も前述の実施形態と同様に、１次成形型１２を外側に広がるように移動させれば、２次成形型３と干渉を起こすことなく、２次成形型３へ持ち替えを行うことができる。
【００２７】
図５は１次成形型と２次成形型を端部で接続した実施形態の説明図である。
図示したように、１次成形型１３と２次成形型１４の一方の端部が回転軸１５を介して連結される。この構造においては、（Ａ）に示すように１次成形型１３でガラス板１の下面側縁を支持し、１次成形型１３によるガラス板１の自重曲げ成形処理を行う。その後、回転軸１５を支点としてガラス板１の外側方向に１次成形型１３を回転させる。この回転動作により、（Ｂ）に示すように、２次成形型１４でガラス板１の下面側縁を支持する。２次成形型１４による支持位置は両成形型の長さや開き角度等により調整可能である。この場合、１次成形型１３でガラス板１を支持していた部分と同じ位置で２次成形型１４によりガラス板１を支持することもできる。したがって後述のように２次成形型１４でガラス板１の深曲げを行うときにもこの構造は有効である。
【００２８】
図６は成形性向上のために成形型を移し替えてガラス板を深曲げ成形するときの説明図である。
ガラス板を深曲げ成形する場合、まず曲げの浅い１次成形型で支持し、次に曲げの深い２次成形型にガラス板を移し替えて、２段階で深曲げを行う。最初（Ａ）に示すように、曲げの浅い１次成形型１６の内側に曲げの深い２次成形型１７を配設し、（Ｂ）に示すように、ガラス板１を１次成形型１６で支持する。この状態で加熱すると、（Ｃ）のようにガラス板１が軟化して自重で１次成形型１６に沿って曲げ成形される。１次成形型１６による曲げ成形が終了後、本発明の機構を用いて１次成形型１６を外側に開き（図面の手前側）、（Ｄ）のように２次成形型１７に持ち替える。この状態で加熱処理をし、（Ｅ）のようにガラス板１をさらに２次成形型１７に沿って深曲げ成形する。以上のように、本発明は、１次成形型と２次成形型による２段階深曲げ成形にも使用できる。
【００２９】
図７は本発明の別の実施形態の説明図である。この実施形態は、前述の図４の実施形態の変形例である。
（Ａ）に示すように、Ｌ字状の１次成形型１２の上辺１２ａでガラス板１のエッジ１ａを支持する。この場合、（Ｂ）に示すように、１次成形型１２の上辺１２ａを若干傾斜させて、ガラス板１のエッジ１ａのみを支持するようにしてもよい。このようにガラス板１のエッジ１ａを支持することにより、１次成形型１２による曲げ加工の成形性が向上する。
【００３０】
上記（Ａ）（Ｂ）の場合、２次成形型３の位置は、周縁部に圧縮応力層を形成する目的であれば、ガラス板１のエッジ１ａの幾分内側を支持し、成形性向上の目的であれば、１次成形型１２と同様にエッジ１ａを支持する位置に配置してもよい。
【００３１】
図８は本発明のさらに別の実施形態の説明図である。この実施形態は、前述の図５の実施形態の変形例である。
この実施形態では、（Ａ）に示すように、１次成形型１３でガラス板１のエッジ１ａを支持し、この状態で曲げ成形した後、図５の場合と同様に回転軸１５廻りに回転してガラス板１を２次成形型１４で持ち替える。このように１次成形型１３でガラス板１のエッジ１ａを支持することにより、図７の各例と同様に、成形性が向上する。
【００３２】
【発明の効果】
以上説明したように、本発明では１次成形型が２次成形型に対して側方に広がるため、ガラス板の持ち替えの際に１次成形型と２次成形型の干渉が起こることを確実に防ぐことができる。したがって、２次成形型を１次成形型に極力近づけ、２次成形型による型跡が目立たないエッジ近傍位置で２次成形型に持ち替えることができる。また、その機構が簡単な構造であり、大きな出力も要しないので、装置が小型化し、生産コストも低減する。
【図面の簡単な説明】
【図１】  本発明に係るガラス板曲げ成形装置の各々別の実施形態の動作説明図。
【図２】  １次成形型の移動方式の説明図。
【図３】  図２の方式を用いたガラス板曲げ成形装置の構成例の概略図。
【図４】  １次成形型の断面をＬ字形状とした説明図。
【図５】  １次成形型と２次成形型を端部で連結した構成説明図。
【図６】  ２次成形型でガラス板を深曲げ成形する実施形態の説明図。
【図７】  本発明の別の実施形態の構成説明図。
【図８】  本発明のさらに別の実施形態の構成説明図。
【符号の説明】
１：ガラス板、２：１次成形型、３：２次成形型、４：基台、５：回転軸、
６：アーム、７：ストッパ、８：フック、９：エアシリンダー、
１０：スライド棒、１１：アーム、１２：１次成形型、１２ａ：上辺、
１３：１次成形型、１４：２次成形型、１５：回転軸、１６：１次成形型、
１７：２次成形型。
【図１】
0004811774.tif 000002
【図２】
0004811774.tif 000003
【図３】
0004811774.tif 000004
【図４】
0004811774.tif 000005
【図５】
0004811774.tif 000006
【図６】
0004811774.tif 000007
【図７】
0004811774.tif 000008
【図８】
0004811774.tif 000009